(57)【要約】【課題】掃除作業以外の時間でも大気にイオンを放出させることができる、空気清浄効果の優れた電気掃除機を提供する。【解決手段】吸引風を発する電動送風機６と、塵埃を捕集する集塵部７と、大気にイオンを放出させるイオン発生装置９と、充電可能でしかも前記イオン発生装置９を駆動する電源１２を備えたもので、掃除作業の終了後でも、イオン発生装置９は、充電された電源１２により駆動され、イオンが発生可能となるので、掃除作業以外の時間でも大気にイオンを放出させることができ、空気清浄効果を向上させることができる。【選択図】図２
2011161004.tif 000002
【特許請求の範囲】
【請求項１】
吸引風を発する電動送風機と、塵埃を捕集する集塵部と、大気にイオンを放出させるイオン発生装置と、充電可能でしかも前記イオン発生装置を駆動する電源を備えた電気掃除機。
【請求項２】
電気掃除機の運転中に、電源を充電できる構成とした請求項１に記載の電気掃除機。
【請求項３】
電源を二次電池にて構成した請求項１又は２に記載の電気掃除機。
【請求項４】
電源をキャパシタにて構成した請求項１又は２に記載の電気掃除機。
【請求項５】
イオン発生装置を、ヒドロシキラジカル等のラジカル成分を含む帯電微粒子水を放出する静電霧化装置で構成した請求項１〜４のいずれか１項に記載の電気掃除機。
【発明の詳細な説明】
【技術分野】
【０００１】
本発明は、空気清浄効果の優れた電気掃除機に関するものである。
【背景技術】
【０００２】
従来の電気掃除機は、床面の塵埃や電気掃除機本体から排出される排気に含まれる微細塵が、掃除を行なう際に空中に舞い上がり再度床面に降り積もるため、室内の換気が奨励されていた。この課題を解決するために、高圧放電により発生したイオンを電気掃除機本体から放出し、空中の微粒子を帯電させ、帯電させた紙パックに付着させて集塵する電気掃除機が提案されている（例えば、特許文献１参照）。
【先行技術文献】
【特許文献】
【０００３】
【特許文献１】特開２００８−２１２３８９号公報
【発明の概要】
【発明が解決しようとする課題】
【０００４】
しかしながら、上記特許文献１に記載されたような従来の電気掃除機の構成では、空中に浮遊しているウィルスや雑菌・カビ菌などを完全に捕集できないため、環境条件によっては、これらウィルスや雑菌・カビ菌などが繁殖し、食品を腐敗させたり健康に影響を与えたりすることも考えられる。また、近年の電気掃除機は、ＨＥＰＡフィルタなどの搭載により排気がきれいなものが多く、掃除中に換気をすると逆に室内の空気を汚してしまうこともある。また、従来の電気掃除機では、その運転中にしかイオンが発生しない為、イオン放出時間が短く、放出量も少ないので、空気清浄効果が低かった。
【０００５】
本発明は、前記従来の課題を解決するもので、掃除作業以外の時間でも大気にイオンを放出させることができ、空気清浄効果の優れた電気掃除機を提供することを目的とする。
【課題を解決するための手段】
【０００６】
前記従来の課題を解決するために、本発明の電気掃除機は、吸引風を発する電動送風機と、塵埃を捕集する集塵部と、大気にイオンを放出させるイオン発生装置と、充電可能でしかも前記イオン発生装置を駆動する電源を備えたもので、掃除作業の終了後でも、イオン発生装置を充電された電源により駆動することで、イオンの発生が可能となり、掃除作業以外の時間でも大気にイオンを放出させることができ、空気清浄効果を向上することができる。
【発明の効果】
【０００７】
本発明の電気掃除機は、掃除作業以外の時間でも大気にイオンを放出させることができ、空気清浄効果を向上させることができる。
【図面の簡単な説明】
【０００８】
【図１】本発明の実施の形態１における電気掃除機の全体斜視図
【図２】同電気掃除機の電気掃除機本体の中央断面図
【図３】同電気掃除機本体の後部斜視図
【発明を実施するための形態】
【０００９】
第１の発明は、吸引風を発する電動送風機と、塵埃を捕集する集塵部と、大気にイオンを放出させるイオン発生装置と、充電可能でしかも前記イオン発生装置を駆動する電源を
備えたもので、掃除作業の終了後でも、イオン発生装置を充電された電源により駆動することで、イオンの発生が可能となり、掃除作業以外の時間でも大気にイオンを放出させることができ、空気清浄効果を向上することができる。
【００１０】
第２の発明は、特に、第１の発明の電気掃除機の運転中に、電源を充電できる構成としたもので、掃除作業以外の時間にイオンを放出させたい時、イオン発生装置を駆動する電源が充電されるのを待つ必要がなくなり、すぐにイオンを放出させることができるので、使い勝手を向上させることができる。
【００１１】
第３の発明は、特に、第１又は第２の発明の電源を二次電池にて構成したもので、掃除作業の終了後でもイオン発生装置は、充電された電源により駆動し、イオンが発生可能となり、掃除作業以外の時間でも大気にイオンを放出させることができ、空気清浄効果を向上させることができる。
【００１２】
第４の発明は、特に、第１又は第２の発明の電源をキャパシタにて構成したもので、電気エネルギーをエネルギー変換することなく蓄えられ、化学反応に要する時間がなくなり、充電時間を大幅に短縮することができる。また、化学反応による発熱もないので充放電のサイクル寿命も向上させることができる。
【００１３】
第５の発明は、特に、第１〜４のいずれか１つの発明のイオン発生装置を、ヒドロシキラジカル等のラジカル成分を含む帯電微粒子水を放出する静電霧化装置で構成したもので、通常のイオンより水分量の多い帯電微粒子水が大気中に放出されるので、イオン寿命が向上し、空中に浮遊しているウィルスや雑菌・カビ菌などを効率良く不活性化でき、さらに空気清浄効果を向上させることができる。
【００１４】
以下、本発明の実施の形態について、図面を参照しながら説明する。なお、この実施の形態によってこの発明が限定されるものではない。
【００１５】
（実施の形態１）
図１は、本発明の実施の形態１における電気掃除機の全体斜視図、図２は、同電気掃除機の電気掃除機本体の中央断面図、図３は、同電気掃除機本体の後部斜視図である。
【００１６】
図１〜３において、本実施の形態における電気掃除機は、図１に示すように、電気掃除機本体１と、前記電気掃除機本体１の前方に設けた吸入口１ａに接続されるホース２と、前記ホース２の先端に設けられた接続パイプ３と、前記接続パイプ３に接続される延長管４と、延長管４の先端に設けられ、塵埃を吸引する開口部（図示せず）を有する吸込具５からなり、前記電気掃除機本体１には、塵埃を吸引する為の吸引風を発生させる電動送風機６と、塵埃を集塵する集塵部７が内蔵されている。
【００１７】
図２、３に示すように、電気掃除機本体１の前方に集塵部７を、後方に電動送風機６及び前記電動送風機６に電力を供給する電源コード８を配設し、前記電気掃除機本体１の後方上部には、大気にイオンを放出させるイオン発生装置９を内蔵し、前記イオン発生装置９を覆うカバー体１０には、発生したイオンを電気掃除機本体１の外部へ放出する排出口１１を形成している。
【００１８】
１２は、前記イオン発生装置９を駆動する為の電源で、電気掃除機本体１の後方下部に収納されると共に、イオン発生装置９と電気的に接続されている。前記電源１２は、複数の二次電池１３あるいは複数のキャパシタ１４により構成され、前記二次電池１３あるいは前記キャパシタ１４を充電する為の制御回路１５を前記電動送風機６の上部に設けている。
【００１９】
さらに、前記イオン発生装置９は、ヒドロシキラジカル等のラジカル成分を含む帯電微粒子水を放出する静電霧化装置１６で構成している。
【００２０】
以上のように構成された本実施の形態における電気掃除機について、以下その動作、作用を説明する。
【００２１】
電源コード８のプラグ８ａを壁コンセント（図示せず）に接続して電気掃除機本体１を運転させ、掃除作業を始めると、前記イオン発生装置９からイオンが発生し、前記排出口１１から電気掃除機本体１外部へ放出されると共に、前記制御回路１５により、前記電源１２は充電される。
【００２２】
掃除作業終了後、電源コード８のプラグ８ａを壁コンセント（図示せず）から抜くと、充電された前記電源１２から前記イオン発生装置９に電力が供給され、駆動することによりイオンが引き続き発生し、前記排出口１１から電気掃除機本体１の外部に放出される。
【００２３】
以上のように、本実施の形態においては、イオン発生装置９の駆動を、充電できる電源１２で行う構成とすることにより、掃除作業の終了後でもイオン発生装置９は、充電された電源１２により駆動し、イオンの発生が可能となり、掃除作業以外の時間でも大気にイオンを放出することができ、空気清浄効果を向上させることができる。
【００２４】
また、イオン発生装置９を駆動する電源１２を、電気掃除機本体１の運転中に充電できる構成とすることにより、掃除作業以外の時間にイオンを放出させたい時、イオン発生装置９を駆動する電源１２が充電されるのを待つ必要がなくなり、すぐにイオンを放出させることができるので、使い勝手を向上させることができる。
【００２５】
また、イオン発生装置９を駆動する電源１２を、キャパシタ１４にて構成することにより、電気エネルギーをエネルギー変換することなく蓄えられ、化学反応に要する時間がなくなり、充電時間を大幅に短縮することができる。また、化学反応による発熱もないので充放電のサイクル寿命も向上させることができる。
【００２６】
さらに、イオン発生装置９を、ヒドロシキラジカル等のラジカル成分を含む帯電微粒子水を放出する静電霧化装置１６としたことにより、通常のイオンより水分量の多い帯電微粒子水が大気中に放出されるので、イオン寿命が向上し、空中に浮遊しているウィルスや雑菌・カビ菌などを効率良く不活性化でき、さらに空気清浄効果を向上させることができる。
【産業上の利用可能性】
【００２７】
以上のように、本発明にかかる電気掃除機は、掃除作業以外の時間でも大気にイオンを放出させることができ、空気清浄効果を向上させることが可能となるので、各種家庭用、業務用電気掃除機等の用途にも幅広く適用できる。
【符号の説明】
【００２８】
６  電動送風機
７  集塵部
９  イオン発生装置
１２  電源
１３  二次電池
１４  キャパシタ
１６  静電霧化装置
【図１】
2011161004.tif 000003
【図２】
2011161004.tif 000004
【図３】
2011161004.tif 000005